(57)【要約】【課題】  この発明は、記録媒体に録画された映像コンテンツの中から消去を推薦する映像コンテンツ候補を出力することを目的としている。またこの発明は、記録媒体に録画された映像コンテンツの中から過去の消去実績を用いて消去順位を決定することを目的としている。【解決手段】  この発明に係る映像再生装置は、過去に消去された映像コンテンツの実績を録画情報と対応付けて記録媒体に記録する消去実績記録手段（１０６）と、記録媒体に録画された各映像コンテンツに係る録画情報を取得する録画情報取得手段（１０７）と、前記取得された各映像コンテンツに係る録画情報を、前記記録媒体に記録されている過去に消去された映像コンテンツの実績と照会し、消去順位を決定する消去順位決定手段（１０１）と、前記決定された消去順位に基づいて、消去を推薦する映像コンテンツ候補を出力する消去候補出力手段（１０５）を備える。【選択図】      図１
2008154061.tif 000002
【特許請求の範囲】
【請求項１】
記録媒体に録画された映像コンテンツを再生する映像再生装置において、
過去に消去された映像コンテンツの実績を録画情報と対応付けて記録媒体に記録する消去実績記録手段と、
記録媒体に録画された各映像コンテンツに係る録画情報を取得する録画情報取得手段と、
前記取得された各映像コンテンツに係る録画情報を、前記記録媒体に記録されている過去に消去された映像コンテンツの実績と照会し、消去順位を決定する消去順位決定手段と、
前記決定された消去順位に基づいて、消去を推薦する映像コンテンツ候補を出力する消去候補出力手段を備えることを特徴とする映像再生装置。
【請求項２】
前記録画情報は消去属性データを含むことを特徴とする請求項１に記載の映像再生装置。
【請求項３】
前記消去属性データを用いて各映像コンテンツの消去順位を決定することを特徴とする請求項１乃至２に記載の映像再生装置。
【請求項４】
前記各映像コンテンツの消去順位決定において、前記消去属性データをポイントとして換算することを特徴とする請求項３に記載の映像再生装置。
【請求項５】
前記録画情報は録画状況、時間、チャンネル、視聴回数、詳細データ、コメントのいずれかひとつを含むことを特徴とする請求項１乃至４に記載の映像再生装置。
【請求項６】
記録媒体に録画された映像コンテンツを再生する映像再生方法において、
過去に消去された映像コンテンツの実績を録画情報と対応付けて記録媒体に記録するステップと、
記録媒体に録画された各映像コンテンツに係る録画情報を取得するステップと、
前記取得された各映像コンテンツに係る録画情報を、前記記録媒体に記録されている過去に消去された映像コンテンツの実績と照会し、消去順位を決定するステップと、
前記決定された消去順位に基づいて、消去を推薦する映像コンテンツ候補を出力するステップを備えることを特徴とする映像再生方法。
【発明の詳細な説明】
【技術分野】
【０００１】
この発明は、記録媒体に録画された映像コンテンツを再生する映像再生装置に関する。またこの発明は、消去を推薦する映像コンテンツ候補を出力する映像再生装置に関する。
【背景技術】
【０００２】
現在、ＨＤＤ（ハードディスクドライブ）やＤＶＤ（デジタルビデオディスク）等の記録媒体に映像を記録する映像再生装置が製品化されている。このような映像再生装置は、映像や音楽（以下両者を総称して映像）を手軽に記録（録画）することができる。
【０００３】
特許文献１には、記録再生装置のＣＰＵは、自動消去対象の全てのコンテンツのリストを出力装置で表示させる旨を認識すると、コンテンツ管理リスト情報から自動消去対象のコンテンツに対応するコンテンツ管理情報を検索する。そして、ＣＰＵは、自動消去コンテンツのみに対応するコンテンツ管理情報に基づいて、自動消去コンテンツに関する消去対象コンテンツ情報を消去全体リスト画面として出力装置の表示領域に表示させる技術が開示されている。
【０００４】
しかし、この特許文献１では、ユーザが設定した消去に関する情報にもとづき、消去候補の対象を決め、視聴実績などを考慮した演算式を用いて順位を決定しており、ユーザの負担が増大するという問題があった。
【特許文献１】特開２００６−１２７７０６号
【発明の開示】
【発明が解決しようとする課題】
【０００５】
そこで、この発明は、上記事情を考慮してなされたもので、記録媒体に録画された映像コンテンツの中から消去を推薦する映像コンテンツ候補を、映像再生装置が出力することを目的としている。またこの発明は、記録媒体に録画された映像コンテンツの中から過去の消去実績を用いて消去順位を決定することを目的としている。またこの発明は、ユーザの意図に反して録画された不要なコンテンツを効率よく削除可能にし、相対的に記録媒体の記憶容量を増やすことを目的としている。
【課題を解決するための手段】
【０００６】
この発明に係る映像再生装置は、過去に消去された映像コンテンツの実績を録画情報と対応付けて記録媒体に記録する消去実績記録手段と、記録媒体に録画された各映像コンテンツに係る録画情報を取得する録画情報取得手段と、前記取得された各映像コンテンツに係る録画情報を、前記記録媒体に記録されている過去に消去された映像コンテンツの実績と照会し、消去順位を決定する消去順位決定手段と、前記決定された消去順位に基づいて、消去を推薦する映像コンテンツ候補を出力する消去候補出力手段を備えるように構成している。
【０００７】
この発明に係る映像再生方法は、過去に消去された映像コンテンツの実績を録画情報と対応付けて記録媒体に記録するステップと、記録媒体に録画された各映像コンテンツに係る録画情報を取得するステップと、前記取得された各映像コンテンツに係る録画情報を、前記記録媒体に記録されている過去に消去された映像コンテンツの実績と照会し、消去順位を決定するステップと、前記決定された消去順位に基づいて、消去を推薦する映像コンテンツ候補を出力するステップを備えるように構成している。
【発明の効果】
【０００８】
上記した構成によれば、記録媒体に録画された映像コンテンツの中から消去を推薦する映像コンテンツ候補を、映像再生装置が出力することが可能となる。またこの発明は、記録媒体に録画された映像コンテンツの中から過去の消去実績を用いて消去順位を決定することが可能となる。またこの発明は、ユーザの意図に反して録画された不要なコンテンツを効率よく削除可能にし、相対的に記録媒体の記憶容量を増やすことが可能となる。これにより、ユーザの利便性を向上させることが可能となる。
【発明を実施するための最良の形態】
【０００９】
以下、図面を参照してこの発明の実施の形態を説明する。
図１はこの発明の実施の形態に係る映像再生装置の構成を示すブロック図である。
符号１0１は消去候補作成部、符号１0２は消去処理部、符号１0３は再生処理部、符号１0４は録画処理部、符号１0５は消去候補リスト記録部、符号１0６は消去属性データ記録部、符号１0７は録画状況記録部、符号１0８は録画コンテンツ記録部である。
【００１０】
消去候補作成部101は、録画コンテンツ記録部に記録された録画コンテンツに対して、録画状況記録部107に記録された録画情報に基づいて、映像コンテンツを消去する候補（順序）を決定する。そして、消去候補リストを作成し、消去候補リスト記録部105へ記録する。
【００１１】
消去処理部102は、録画コンテンツ記録部108に記録された録画コンテンツを消去する。また、録画状況記録部107に記録された録画情報を用いて消去属性データを作成し、消去属性データ記録部106に記録する。
【００１２】
再生処理部103は、録画コンテンツ記録部108に記録された映像コンテンツの再生情報を、録画状況記録部107に保存する。
録画処理部104は、予約や指定された映像コンテンツを録画コンテンツ記録部108へ録画する。また、録画コンテンツ及び予約情報から得られるコンテンツに関する情報を録画状況記録部107に記録する。
【００１３】
この映像再生装置では、記録媒体として例えば、ＤＶＤ−ＲＡＭやハードディスク、半導体メモリ等を使用するが、他の記録媒体を用いることも可能である。
図２はこの発明の実施の形態に係る映像再生装置の動作を説明するフローチャートである。
符号Ｓ０は開始ステップである。続いて符合Ｓ１を付したステップへ進む。
符号Ｓ１は録画コンテンツ記録部１0８に録画コンテンツが記録されているか否かを判断するステップである。録画コンテンツ記録部１0８に録画コンテンツが記録されていると判断される場合は符号Ｓ２を付したステップへ進む（Ｙｅｓ）。録画コンテンツ記録部１0８に録画コンテンツが記録されていないと判断される場合は符号Ｓ６を付したステップへ進む（Ｎｏ）。これらは録画コンテンツに関する録画状況(107)がなくなるまで行われる。
【００１４】
符号Ｓ２は映像コンテンツに係る録画状況を読み込む（映像コンテンツに係る録画情報を取得する）ステップである。続いて符合Ｓ３を付したステップへ進む。
符号Ｓ３は録画コンテンツ記録部１0８に録画されたコンテンツに消去属性データが関連付けられているか否かを判断するステップである。録画コンテンツ記録部１0８に録画されたコンテンツに消去属性データが関連付けられていると判断される場合は符号Ｓ４を付したステップへ進む（Ｙｅｓ）。録画コンテンツ記録部１0８に録画されたコンテンツに消去属性データが関連付けられていないと判断される場合は符号Ｓ５を付したステップへ進む（Ｎｏ）。
【００１５】
符号Ｓ４は消去属性データが関連付けられている録画コンテンツから属性データを読み込むステップである。続いて符合Ｓ５を付したステップへ進む。
符号Ｓ５は消去属性データに基づいて、消去候補を作成するステップである。続いて符合Ｓ６を付したステップへ進む。
符号Ｓ６は終了ステップであり、ここでの処理は終了する。
ここで、符号Ｓ５を付した消去候補を作成するステップについて詳述する。
符号Ｓ５１は映像コンテンツの録画が（例えば特定の１番組を記録する）ピンポイント録画であるか否かを判断するステップである。映像コンテンツの録画がピンポイント録画であると判断される場合は符号Ｓ５４を付したステップへ進む（Ｙｅｓ）。映像コンテンツの録画がピンポイント録画であると判断されない場合は符号Ｓ５２を付したステップへ進む（Ｎｏ）。
【００１６】
符号Ｓ５２はそのコンテンツが視聴されたか否かを判断するステップである。そのコンテンツが視聴されたと判断された場合は符号Ｓ５５を付したステップへ進む（Ｙｅｓ）。そのコンテンツが視聴されたと判断されない場合は符号Ｓ５３を付したステップへ進む（Ｎｏ）。
【００１７】
符号Ｓ５３は消去レベル（消去候補としてのレベル：後述する）が「レベル：高」であり、「レベル：高」で、消去（削除）候補に登録するステップである。続いて符合Ｓ５６を付したステップへ進む。
【００１８】
符号Ｓ５４は消去レベルが「レベル：低」で、消去（削除）候補に登録するステップである。続いて符合Ｓ５６を付したステップへ進む。
符号Ｓ５５は消去レベルが「レベル：中」で、消去（削除）候補に登録するステップである。続いて符合Ｓ５６を付したステップへ進む。
符号Ｓ５６はそれぞれコンテンツ毎に登録された上記消去レベル（レベル：低、中、高）等を用い、消去属性の順位を計算するステップである。続いて符合Ｓ５７を付したステップへ進む。
【００１９】
符号Ｓ５７は計算された消去属性において高い順位であるか否かを判断するステップである。高い順位であると判断された場合は符号Ｓ５８を付したステップへ進む（Ｙｅｓ）。高い順位であると判断されない場合は符号Ｓ６を付したステップへ進む（Ｎｏ）。
【００２０】
符号Ｓ５８は消去レベルを再調整し、消去（削除）候補に登録するステップである。続いて符合Ｓ６を付したステップへ進む。
符号Ｓ６は終了ステップであり、ここでの処理は終了する。
すなわち、ステップS2において録画状況(107)を読み込む。また、ステップS5において、１コンテンツずつ消去候補作成作業を行う。また、録画状況(107)から予約時の状況を盛り込んだ順位付けを行うが、ステップS3において、過去の消去情報である消去属性データがある場合には、ステップS4において消去属性データを読み込む。例えば、ステップS5の消去候補作成では、まずステップS51において予約時の録画状況によりレベルを判断する。続いてステップS52、ステップS53において、視聴回数で削除候補の順位を決める。さらに、ステップS56において、消去属性のポイントから消去候補の順位を計算する。そして、ステップS56、ステップS57において順位から候補リストのレベルを調整する。
【００２１】
図３はこの発明の実施の形態に係る映像再生装置に係り、録画情報から消去属性データを作成する消去処理部のフローチャートである。
符号Ｓ４０はここでの開始ステップである。続いて符合Ｓ４１を付したステップへ進む。
符号Ｓ４１は録画コンテンツに対応付けられた録画情報を取得するステップである。続いて符合Ｓ４２を付したステップへ進む。
符号Ｓ４２は後述する詳細データを読み込むステップである。続いて符合Ｓ４３を付したステップへ進む。
符号Ｓ４３は詳細データ項目がないか否かを判断するステップである。詳細データ項目がないと判断された場合は符号Ｓ４８を付したステップへ進む（Ｙｅｓ）。詳細データ項目がないと判断されない場合（詳細データ項目があると判断される場合）は符号Ｓ４４を付したステップへ進む（Ｎｏ）。
【００２２】
符号Ｓ４４は消去属性データの読み込みを行うステップである。続いて符合Ｓ４５を付したステップへ進む。
符号Ｓ４５は詳細データ項目に消去属性データが関連付けられているか否かを判断するステップである。詳細データ項目に消去属性データが関連付けられていると判断された場合は符号Ｓ４７を付したステップへ進む（Ｙｅｓ）。詳細データ項目に消去属性データが関連付けられていないと判断された場合は符号Ｓ４６を付したステップへ進む（Ｎｏ）。
【００２３】
符号Ｓ４６は消去属性データに新規登録するステップである。続いて符合Ｓ４２へ進み、上記処理を繰り返す。
符号Ｓ４７は消去属性データのポイントを加算するステップである。続いて符合Ｓ４２へ進み、上記処理を繰り返す。
符号Ｓ４８はここでの終了ステップであり、ここでの処理は終了する。
すなわち、消去処理部102はＣＰＵ（図示せず）から指示される消去指示により起動する。そして、録画情報を取得する（ステップS41）。録画情報に含まれる詳細データを読み込む（ステップS42）。
【００２４】
消去コンテンツの詳細データを、データ項目がなくなるまで、コンテンツに含まれている情報から生成する（ステップS43）。消去属性データを読み込む（ステップS44）。詳細データの各項目に対して、消去属性データ内の該当項目の有無を確認する（ステップS45）。消去属性データに該当項目がなければ、新規に消去属性データの項目を追加する（ステップS46）。該当項目があればその項目のポイントを加算する(ステップS47)。
【００２５】
尚、ここでは、上記ポイント計算は、図５（後述）に示すような消去データがある場合に、ジャンルの順位・項目の順位という形で行っている。例えば、録画コンテンツが消去（削除）された場合には、ジャンル・項目のそれぞれの該当箇所を加算し、掛け合わせるなどの式を用いる。一例として、削除順位＝ジャンル×sum(項目データのポイント)の様な式を用いても良い。
【００２６】
図４はこの発明の実施の形態に係る映像再生装置における各録画コンテンツと録画情報の関連付けを示す図である。
ここではリストで示しており、それぞれの録画コンテンツに係る録画情報の一例を示している。録画コンテンツは録画情報として、No（ナンバー）、名称、録画状況、時間、ch（チャンネル）、視聴回数、詳細データ、commentが関連付けられている。
【００２７】
すなわちリストのNo.１は、No.は1、名称は「あいうえお」、録画状況は「auto」、時間（録画時刻）は「01:00-01:30」、ch（放送が行われたチャンネル）は「5」、視聴回数（録画コンテンツを視聴した回数）は「0」、詳細データは「出演者名」、commentは特にないので「−」となっている。同様に、No.２からNo.６に関する録画情報を図４に示している。
【００２８】
尚、録画状況欄で示すautoは映像再生装置が自動的に録画を行う録画であり、いわゆる自動録画、keyはユーザに入力された特定のキーワードに基づいて映像再生装置が番組を検索し、録画を行う録画、pointはユーザが特定の番組をポイント的に選択し、行う録画の状況である。
【００２９】
図５はこの発明の実施の形態に係る映像再生装置における消去属性データの例を示す図である。
図５（ａ）は消去したコンテンツデータである。これらは消去属性データ部１０６に記録される。
例えば、名称「あかさたな」のコンテンツデータには詳細データ「映画、フランス、監督：Ａ、俳優：Ｂ」が関連付けられている。同様に、名称「いきしちに」、「うくすつぬ」等にも図に示す関連付けが行われている。
【００３０】
図５（ｂ）はジャンル順位である。すなわち、ジャンルに応じて消去順位を決定している。
ここでは映画、ドラマ、アニメ、ニュースをジャンルとしており、それぞれの消去順位を映画：２、ドラマ：２、アニメ：１、ニュース：１としている。
図５（ｃ）は項目順位である。同様に、項目に応じて順位を決定している。
ここではフランス、監督：Ａ、俳優：Ｂ、朝連ドラ、主演：太郎、舞台：京都、原作者：ふ、声優：い、野球、主演：花子、舞台：東京、日本、監督：あ、キャスター：え、を項目としており、それぞれの消去順位を、フランス：１、監督：Ａ：１、俳優：Ｂ：１、朝連ドラ：２、主演：太郎：１、舞台：京都：１、原作者：ふ：１、声優：い：１、野球：１、主演：花子：１、舞台：東京：１、日本：１、監督：あ：１、キャスター：え：１としている。
【００３１】
図６はこの発明の実施の形態に係る映像再生装置における消去（削除）候補リストの例を示す図である。
ここでは、例えば図４に示すＮｏ．１からＮｏ．６の録画コンテンツがある場合を想定する。この図４に示すＮｏ．１からＮｏ．６の録画コンテンツを用いて図６に示す消去候補リストへの登録を行う。
【００３２】
すなわち、No.1は『auto』で録画され、『視聴回数：0』のため、1番上(L1)に登録される（図６の(1)）。No.2は『key』（キーワードを入れて録画）で録画されているため、優先度を下げて登録される。ここでは他に登録されているものがないため、L2に登録される（図６の(2)）。No.3は『auto』で録画されているので、No.2よりも上、『視聴回数：3』のためNo.1よりも下のL2への挿入となる（No.2はこの時点でL3に変更）（図６の(3)）。
【００３３】
No.4は同様にNo.2より上となり、『視聴回数：1』であるため、No.3の上のL2となる。（No.2,3はL4,3へ変更される）(図６の(4))。No.5は『point』（録画指定して録画）のため、もっともレベルの低い位置へ登録となる。この例では、L5へ登録される(図６の(5))。
【００３４】
このように、ここでは、全てのコンテンツについて、繰り返し、削除候補リストを作成する。尚、No.6は『point』（録画指定して録画）のため、No.5と同じようにレベルの低い位置（一番下）への登録となるが、図２のS57,S58処理にて順位再計算の結果、削除レベルが上がり図６の(6)のように登録される。
【００３５】
尚、この発明の実施の形態においては、次のように構成することも可能である。
すなわち、消去候補リストの作成は録画時のみでなく、随時可能とする。録画日時もリスト化順位の判断材料とできる（古いものが上位など）。消去候補リストへの登録順序は制御ファイルを作成しそれに基づき変更することも可能とする。消去属性データ利用時の計算式も変更可能とする。視聴回数については、閾値を設けることも可能でそれにより優先度を変更することができるものとする。機器により独自のコメント欄がある場合には制御ファイルにそれらの情報も入力可能とする。実際に削除するかどうかの判断は、GUI機能を持たせるなど、随時容易に変更可能とする。消去候補リスト内部の順位移動もユーザが直接可能とする。消去属性データは消去候補リスト作成だけでなく、再生時の優先度変更にも利用することができる。
【００３６】
すなわち、この発明の実施の形態に係る映像再生装置は、過去に消去された映像コンテンツの実績を録画情報と対応付けて記録媒体に記録する消去実績記録手段と、記録媒体に録画された各映像コンテンツに係る録画情報を取得する録画情報取得手段と、前記取得された各映像コンテンツに係る録画情報を、前記記録媒体に記録されている過去に消去された映像コンテンツの実績と照会し、消去順位を決定する消去順位決定手段と、前記決定された消去順位に基づいて、消去を推薦する映像コンテンツ候補を出力する消去候補出力手段を備えるように構成している。
【００３７】
尚、録画情報は消去属性データを含むように構成している。また、消去属性データを用いて各映像コンテンツの消去順位を決定するように構成している。各映像コンテンツの消去順位決定において、消去属性データをポイントとして換算するように構成している。録画情報は録画状況、時間、チャンネル、視聴回数、詳細データ、コメントのいずれかひとつを含むように構成している。
【００３８】
上記のように構成することによって、この発明の実施の形態においては、記録媒体に録画された映像コンテンツの中から消去を推薦する映像コンテンツ候補を、映像再生装置が出力することが可能となるという効果がある。またこの発明は、記録媒体に録画された映像コンテンツの中から過去の消去実績を用いて消去順位を決定することが可能となるという効果がある。またこの発明は、ユーザの意図に反して録画された不要なコンテンツを効率よく削除可能にし、相対的に記録媒体の記憶容量を増やすことが可能となるという効果がある。これにより、ユーザの利便性を向上させることが可能となるという効果がある。
【００３９】
尚、この発明は上記した実施の形態そのままに限定されるものではなく、実施段階ではその趣旨を逸脱しない範囲で構成要素を種々変形して具体化することが可能である。
【図面の簡単な説明】
【００４０】
【図１】この発明の実施の形態に係る映像再生装置の構成を示すブロック図。
【図２】この発明の実施の形態に係る映像再生装置の動作を説明するフローチャート。
【図３】この発明の実施の形態に係る映像再生装置に係り、録画情報から消去属性データを作成する消去処理部のフローチャート。
【図４】この発明の実施の形態に係る映像再生装置における各録画コンテンツと録画情報の関連付けを示す図。
【図５】この発明の実施の形態に係る映像再生装置における消去属性データの例を示す図。
【図６】この発明の実施の形態に係る映像再生装置における削除候補リストの例を示す図。
【符号の説明】
【００４１】
１0１…消去候補作成部、１0２…消去処理部、１0３…再生処理部、１0４…録画処理部、１0５…消去候補リスト記録部、１0６…消去属性データ記録部、１0７…録画状況記録部、１0８…録画コンテンツ記録部。
【図１】
2008154061.tif 000003
【図２】
2008154061.tif 000004
【図３】
2008154061.tif 000005
【図４】
2008154061.tif 000006
【図５】
2008154061.tif 000007
【図６】
2008154061.tif 000008